(57)【要約】【課題】プラグのグランド電極がいずれの位置に配設されても、プラグの挿入を確実に検出できるジャックを提供すること。【解決手段】プラグ挿入孔を有する電気絶縁性のジャックハウジング内に、少なくとも１本の信号コンタクトと、第１の接点部８ｃ１を設けた第１のスイッチコンタクト８および前記第１の接点部に接触する第２の接点部９ｃ１を設けた第２のスイッチコンタクト９とからなるスイッチ機構を組込んだジャック１であって、第１、第２のスイッチコンタクトは、一方のスイッチコンタクト９を電気導電性の弾性変形可能なアーム片で形成して、該アーム片からなるスイッチコンタクトに、プラグ挿入孔３へのプラグの挿入により該プラグが摺動接触し変位させて該スイッチコンタクトの接点部を作動させる電気絶縁性のプッシャー１０が装着されている。【選択図】図５
2012230877.tif 000002
【特許請求の範囲】
【請求項１】
プラグ挿入孔を有する電気絶縁性のジャックハウジング内に、少なくとも１本の信号コンタクトと、第１の接点部を設けた第１のスイッチコンタクトおよび前記第１の接点部に接触する第２の接点部を設けた第２のスイッチコンタクトとからなるスイッチ機構を組込んだジャックにおいて、
前記第１、第２のスイッチコンタクトは、少なくともいずれか一方のスイッチコンタクトを電気導電性の弾性変形可能なアーム片で形成して、該アーム片からなるスイッチコンタクトに、前記プラグ挿入孔へのプラグの挿入により該プラグが摺動接触し変位させて該スイッチコンタクトの接点部を作動させる電気絶縁性のプッシャーが装着されていることを特徴とするジャック。
【請求項２】
前記プッシャーは、前記スイッチコンタクトの長手方向の略中間部に装着されていることを特徴とする請求項１に記載のジャック。
【請求項３】
前記プッシャーは、前記プラグが摺動接触する摺動面を有する電気絶縁性の合成樹脂成型体からなり、前記合成樹脂成型体が前記スイッチコンタクトにモールド成型により固定されていることを特徴とする請求項１又は２に記載のジャック。
【請求項４】
前記プッシャーは、前記スイッチコンタクトに電気絶縁性樹脂を塗布することにより形成さていることを特徴とする請求項１又は２に記載のジャック。
【請求項５】
前記スイッチ機構は、前記第１、第２のスイッチコンタクトの前記第１、第２の接点部が常閉接点又は常開接点からなり、前記プラグ挿入孔へのプラグの挿入により、開成又は閉成されることを特徴とする請求項１に記載のジャック。
【請求項６】
前記信号コンタクトおよび前記第１、第２のスイッチコンタクトは、いずれも前記ジャックハウジングへ固定するハウジング固定部、プリント配線基板に接触接続される基板接触部を設けた基板接触脚部とを設けて、前記ジャックハウジングは、その内部に前記プラグ挿入孔に連通し、プリント配線基板に載置する面を開口させた所定大きさの空間を設けて、前記ジャックハウジングは、前記信号コンタクトおよび前記第１、第２のスイッチコンタクトを収容して、前記開口側へ前記基板接触脚部が位置し前記基板接触部が開口から外方へ突出していることを特徴とする請求項１に記載されたジャック。
【発明の詳細な説明】
【技術分野】
【０００１】
本発明は、イヤホンやマイクロホンなどに接続されたプラグが差込み接続されるコネクタ、いわゆるジャックに係り、さらに詳しくは、プラグ挿入孔にプラグが挿入されたことを検知できるプラグ挿入検出機構を備えたジャックに関するものである。
【背景技術】
【０００２】
プラグ挿入検出機構を備えたジャックは、既に公知であり、このプラグ挿入検出機構は、概ね、以下の２タイプに大別されるものとなっている。１つのタイプは、プラグの電極とジャックハウジング内に配設したコンタクトとの間で電気的接続を行って検出するものであり、他のタイプは、ジャックハウジング内にスイッチ機構を設けて、このスイッチ機構の作動により検出するものとなっている。
【０００３】
前者のタイプは、例えば、下記特許文献１に開示されている。この特許文献１のプラグ挿入検知装置は、図１４Ａ、１４Ｂに示すように、３極プラグ１５が接続される４極端子１７において、この４極端子１７は、ジャックを構成するハウジング内に配設されているが、プラグ１５が挿入されたときにプラグの接地部１６ａに接触される第１及び第４の端子１７ａ、１７ｄと、このプラグ１５が挿入されたときに少なくともプラグ接地部１６ａに接触されない第２及び第３の端子１７ｂ、１７ｃとを備えたものとなっている。この４極端子１７は、プラグ１５が挿入されていない状態において、４極端子１７の１番ピン１７ａの電圧が電源Ｖｃｃの電圧と等しくなる。この状態で、３極プラグ１５が矢印Ａ方向から移動して４極端子１７に挿入接続されると、４極端子１７の１番ピン１７ａは、３極プラグの接地部１６ａに接触するので、１番ピン１７ａと４番ピン１７ｄとの間がショートして１番ピン１７ａの電圧が０Ｖとなる。これにより４極端子１７に対して３極プラグ１５の挿入が検出される。なお、４極端子１７の１〜４番ピン１７ａ〜１７ｄはコンタクト端子となっている。
【０００４】
後者のタイプは、例えば、下記特許文献２、３に開示されている。これらの特許文献２、３のうち、特許文献２のプラグ挿入検出機構２０は、図１５Ａ〜１５Ｅに示すように、ハウジング２１に組込んだ第１スリーブバネ２２と、これと離接するメークバネ２３と、第２スリーブバネ２４とからなり、プラグ挿入孔２１ａに電気信号用および光信号用のいずれかのプラグを挿入してもそれらを識別して検出できるものとなっている。なお、記号ｐ１〜ｐ４は電気信号用プラグに設けられた電極であり電極ｐ１は接地（グランド）電極であり、第１スリーブバネ２２とメークバネ２３とでスイッチ機構を構成し、またこれらはスイッチコンタクトとなっている。
【０００５】
イ  電気信号用プラグの挿入検出
プラグ挿入孔２１ａに電気信号用プラグｐが挿入されると、図１４Ａ、図１４Ｂに示すように、第１スリーブバネ２２の作用部２２ｂが電気信号用プラグｐの周側部に当接して後退し、この作用部２２ｂの背後の接片部２２ｃがメークバネ２３の接触部２３ｂに接触して通電する。この通電により、プラグ挿入孔２１ａに何らかのプラグが挿入されたことが検出され、さらに、第１スリーブバネ２２と第２スリーブバネ２４とが通電するので、そのプラグが電気信号用プラグｐであることが判別される。
【０００６】
ロ  光信号用プラグの挿入検出
プラグ挿入孔２１ａに光信号用プラグが挿入されると、電気信号用プラグｐが挿入された場合と同様に、第１スリーブバネ２２とメークバネ２３とが通電する。このとき、第１スリーブバネ２２の作用部２２ｂは、プラグの周側部に当接して後退するので、第２スリーブバネ２４の先端接触部２４ｂもプラグ周側部の上方の部位に接触する。しかしながら、光信号用プラグは、その周側に電気信号用プラグｐにあるスリーブ電極ｐ４のような導電性部材がないので、第１スリーブバネ２２と第２スリーブバネ２４とが導通せずに非導通状態になる。その結果、第１スリーブバネ２２とメークバネ２３とが導通することで、プラグ挿入孔２１ａに何らかのプラグが挿入されたことが検出されるが、第１スリーブバネ２２と第２スリーブバネ２４とが非導通状態になるので、そのプラグが電気信号用プラグでなく光信号用プラグであることが判別される。なお、下記特許文献３のジャックも、電気信号用プラグの挿入を検出できるものとなっている。
【先行技術文献】
【特許文献】
【０００７】
【特許文献１】特開平１１−２８８７６６号公報（段落〔００１０〕、〔００１１〕、図１）
【特許文献２】特開２００７−３２３９６０号（段落〔００４９〕〜〔００５３〕、図２）
【特許文献３】特開２０１１−９１２２号公報（段落〔００２９〕〜〔００３２〕、図５）
【発明の概要】
【発明が解決しようとする課題】
【０００８】
上記特許文献１〜３のジャックは、いずれもハウジング内に組込まれたプラグ挿入検出機構（装置）により、プラグがプラグ挿入孔へ差込まれると、その挿入を検出できる。しかしながら、これらのプラグ挿入検出機構は、いずれもプラグの接地（グランド）電極とジャックハウジング内に配設されたコンタクトとの電気的接続によってプラグ挿入を検出するものとなっているので、プラグはグランド電極が特定位置にあるもののみのプラグに限定されて、グランド電極がこの位置と異なる位置（箇所）にあるとそのプラグの挿入を検出できない。すなわち、上記特許文献１のプラグ挿入検知装置は、プラグの接地部（グランド電極）と４極端子の２つのピンがプラグの挿入でショートするので、このショートによりプラグ挿入が検出されるものであることから、プラグの接地部が異なる位置にあるとそのプラグの挿入を検出できない。また、上記特許文献２、３のプラグ挿入検出機構も同様に、プラグ電極とスイッチ機構を構成するスイッチコンタクト及び他のコンタクト間の電気的接続によって、プラグ挿入が検出されるものとなっているので、同様にプラグのグランド電極が異なる箇所にあるとそのプラグの挿入を検出できない。
【０００９】
この種のプラグは、様々な電子機器、例えばデジタルオーディオプレーヤー、ポータブルＣＤプレーヤー、ＭＤレコーダー、ポータブルカセットプレーヤー、ポータブルカセットレコーダ及びマイクロカセットレコーダーなどに設けたジャックに接続して使用されている。これらの電子機器に使用されるプラグは、それぞれの電子機器に適合するものであることは当然であるが、近年、これらの電子機器には、様々な機能が組込まれて多機能化しており、この動向に対応して、それらに使用されるプラグは、その電極数が増えると共にこれらの電極がこれまでのものと異なる位置に配設されるものとなっている。これらのプラグのうち、特に、グランド電極が従来のプラグと異なる位置に配設されたものが出現している。すなわち、これまでのプラグは、例えば上記特許文献１〜３にみられるプラグのように、そのグランド電極が、図１３Ａに示すように、先端電極から一番離れた、すなわちハウジング側に設けられている。しかしながら、例えば欧州などの国々或いは電子機器の種類によっては、この位置になく、図１３Ｂのように、先端電極とプラブハウジングとの間、すなわち電極間の途中に設けたものがある。そして、これらのプラグのうち、前者タイプのプラグは、上記特許文献１〜３のジャックでプラグの挿入を検出できるが、これらのジャックでは後者タイプのプラグの挿入を検出できない。
【００１０】
この不都合を解消するために、上記特許文献１〜３のジャックを後者タイプのプラグにも使用可能なように改造することが考えられる。その改造は、概ね、このようなプラグに使用できるようにプラグ検出機構を構成するコンタクト或いはスイッチ機構の位置を変更する方法、或いは同じようなプラグ検出機構をさらに追加する方法となる。しかしながら、これらの改造のうち、前者の改造は、グランド電極の位置が異なるプラグ毎にそれ専用のジャックが必要となり、そのためにプラグ毎のジャックが必須となって、品種が多くなりその管理が面倒でコスト高を招来することなる。また、上記特許文献２、３のジャックではスイッチ機構の位置変更が難しく、強いてスイッチ機構をプラグ挿入口に近い位置に変更すると、プラグ挿入時にノイズがイヤホンを通して耳に入り込むことがある。また、後者の改造は、複数のプラグ検出機構の組込みとなり、この組込みにより、ジャックが大型で複雑な構造及びコスト高を招来することなり実用的なものにならない。
【００１１】
そこで、本発明者らは、従来技術のジャックがこのような課題を抱えていることから、この課題を解消するために、前者及び後者タイプのいずれのプラグ挿入をも検出、すなわち共通に検出ができるようにし、しかも、プラグ電極の位置が変更されても、この変更に伴いジャックハウジング内の他のコンタクトの位置をプラグ電極に対応できる改造を試みた。この試みの過程において、これまでのジャックは、プラグ挿入検出がプラグ電極とジャックハウジング内のコンタクトとの電気的接続で行っているので、上記の課題が出現することを突き止め、これらの電気的接続に依存しない、すなわち、いずれのプラグ電極によっても、このプラグ電極とスイッチ機構とが電気的に接続されないようにして、プラグ挿入時にスイッチを作動させれば、グランド電極がどの位置にあってもプラグ挿入を検出できるようになることに想到し、本発明を完成させるに至ったものである。
【００１２】
そこで、本発明は、このような従来技術が抱える課題を解決し上記知見に基づいてなされたもので、本発明の目的は、プラグのグランド電極がいずれの位置に配設されても、そのプラグの挿入を確実に検出できるジャックを提供することにある。
【００１３】
本発明の他の目的は、プラグ挿入を検出するスイッチ機構をジャックハウジング内で任意の位置に設けることができると共に、所定の位置にこのスイッチ機構を設けることによってプラグ挿入時のノイズの低減ができるジャックを提供することにある。
【００１４】
本発明のまた他の目的は、プラグ電極の位置が変更されても、この変更に伴うプラグ電極に対応できるジャック内の信号コンタクトをジャックハウジング内に配設できるジャックを提供することにある。
【課題を解決するための手段】
【００１５】
前記目的は、以下の手段によって達成できる。本願発明の第１の態様のジャックによれば、プラグ挿入孔を有する電気絶縁性のジャックハウジング内に、少なくとも１本の信号コンタクトと、第１の接点部を設けた第１のスイッチコンタクトおよび前記第１の接点部に接触する第２の接点部を設けた第２のスイッチコンタクトとからなるスイッチ機構を組込んだジャックにおいて、前記第１、第２のスイッチコンタクトは、少なくともいずれか一方のスイッチコンタクトを電気導電性の弾性変形可能なアーム片で形成して、該アーム片からなるスイッチコンタクトに、前記プラグ挿入孔へのプラグの挿入により該プラグが摺動接触し変位させて該スイッチコンタクトの接点部を作動させる電気絶縁性のプッシャーが装着されていることを特徴とする。
【００１６】
また、第２の態様のジャックは、前記第１の態様のジャックにおいて、前記プッシャーは、前記スイッチコンタクトの長手方向の略中間部に装着されていることを特徴とする。
【００１７】
また、第３の態様のジャックは、前記第１又は２の態様のジャックにおいて、前記プッシャーは、前記プラグが摺動接触する摺動面を有する電気絶縁性の合成樹脂成型体からなり、前記合成樹脂成型体が前記スイッチコンタクトにモールド成型により固定されていることを特徴とする。
【００１８】
また、第４の態様のジャックは、前記第１又は２の態様のジャックにおいて、前記プッシャーは、前記スイッチコンタクトに電気絶縁性樹脂を塗布することにより形成さていることを特徴とする。
【００１９】
また、第５の態様のジャックは、前記第１の態様のジャックにおいて、前記スイッチ機構は、前記第１、第２のスイッチコンタクトの前記第１、第２の接点部が常閉接点又は常開接点からなり、前記プラグ挿入孔へのプラグの挿入により、開成又は閉成されることを特徴とする。
【００２０】
また、第６の態様のジャックは、前記第１の態様のジャックにおいて、前記信号コンタクトおよび前記第１、第２のスイッチコンタクトは、いずれも前記ジャックハウジングへ固定するハウジング固定部、プリント配線基板に接触接続される基板接触部を設けた基板接触脚部とを設けて、前記ジャックハウジングは、その内部に前記プラグ挿入孔に連通し、プリント配線基板に載置する面を開口させた所定大きさの空間を設けて、前記ジャックハウジングは、前記信号コンタクトおよび前記第１、第２のスイッチコンタクトを収容して、前記開口側へ前記基板接触脚部が位置し前記基板接触部が開口から外方へ突出していることを特徴とする。
【発明の効果】
【００２１】
第１の態様のジャックによれば、プラグ挿入孔への挿入時に、プラグ電極とスイッチ機構とが電気的に接続されないので、プラグのグランド電極がいずれの位置に配設されても、プラグの挿入を確実に検出できる。また、スイッチ機構をジャックハウジング内で任意の位置に設けることができると共に、所定の位置にこのスイッチ機構を設けることによってプラグ挿入時のノイズの低減ができる。さらに、プラグ電極の位置が変更されても、この変更に伴うプラグ電極に対応できるジャック内の信号コンタクトをジャックハウジング内に配設できる。
【００２２】
第２の態様のジャックによれば、プラグ挿入時に、スイッチ機構の作動がスムーズになる。
【００２３】
第３の態様のジャックによれば、スイッチコンタクトへのプッシャーの固定が堅固になる。
【００２４】
第４の態様のジャックによれば、プッシャーをスイッチコンタクトへ簡単に設けることができる。
【００２５】
第５の態様のジャックによれば、特に、スイッチ機構を常閉接点にすることにより、水が浸入したとしてもスイッチ機構を作動させてプラグの挿入を確実に検出することができる。
【００２６】
第６の態様のジャックによれば、信号コンタクトおよび第１、第２のスイッチコンタクトは、それぞれの基板接触脚部がジャックハウジングの開口側に配設されるので、ジャックを背低化および小型化できる。また、これらのコンタクトは、基板接触部が開口から外方へ突出するので、各コンタクトの基板接触脚部の弾性を利用して基板接触部をプリント配線基板の配線パターン上をスライド移動させて確実に電気接続させることができる。
【図面の簡単な説明】
【００２７】
【図１】図１は本発明の実施形態に係るジャックを示し、図１Ａはプラグ未挿入状態の斜視図、図１Ｂはジャックハウジング内の複数コンタクトの配置概略図である。
【図２】図２は図１のジャックを所定の各方向からみたもので、図２Ａは底面図、図２Ｂは前面図、図２Ｃは背面図、図２Ｄは一側面図、図２Ｅは他の側面図である。
【図３】図３は図２のジャックを示し、図３Ａは特に上方及びその周辺が見えるように図示した斜視図、図３Ｂは特に底面がよく見えるように図示した斜視図である。
【図４】図４は図３Ａを分解したもので、図４Ａはジャックハウジングの斜視図、図４Ｂはコンタクトの斜視図である。
【図５】図５は図３Ｂを分解したもので、図５Ａはジャックハウジングの斜視図、図５Ｂはコンタクトの斜視図である。
【図６】図６ＡはＧＮＤコンタクトの斜視図、図６ＢはＲコンタクトの斜視図である。
【図７】図７ＡはＭＩＣコンタクトの斜視図、図７ＢはＳＷ１コンタクトの斜視図である。
【図８】図８はＳＷ２コンタクトを示し、図８Ａは一方からみた斜視図、図８Ｂは他方からみた斜視図である。
【図９】図９は図８のＳＷ２コンタクトを示し、図９Ａは図８のＳＷ２コンタクトを別の角度からみた斜視図、図９Ｂはプッシャーを分離した状態の斜視図である。
【図１０】図１０ＡはＬコンタクトの斜視図、図１０Ｂはロックピンの斜視図である。
【図１１】図１１はプラグ挿入検出を説明するもので、図１１Ａはプラグ未挿入状態の断面図、図１１Ｂはプラグ挿入状態の断面図である。
【図１２】図１２は図１Ｂと異なる複数コンタクトの配置概略図である。
【図１３】図１３は公知のプラグを示し、図１３Ａは一タイプのプラグ側面図、図１３Ｂは他タイプの側面図である。
【図１４】図１は一従来技術のプラグ挿入検知装置を備えたジャックを示し、図１４Ａはプラグ未挿入状態の模式図、図１４Ｂは挿入状態の模式図である。
【図１５】図１５は他の従来技術のプラグ挿入検出機構を備えたジャックを示し、図１５Ａはジャック背面の断面図、図１５Ｂはジャック平面の断面図、図１５Ｃはジャック底面の断面図、図１５Ｄおよび図１５Ｅは側面で切断した断面図である。
【発明を実施するための形態】
【００２８】
以下、図面を参照して、本発明を実施するための形態を説明する。但し、以下に示す実施形態は、本発明の技術思想を具体化するためのジャックを例示するものであって、本発明をこれに特定することを意図するものではなく、特許請求の範囲に含まれるその他の実施形態のものにも等しく適応し得るものである。
【００２９】
図１を参照して、本発明の実施形態に係るジャックの概要を説明する。なお、図１は本発明の実施形態に係るジャックを示し、図１Ａはプラグ未挿入状態の斜視図、図１Ｂはジャックハウジング内の複数コンタクトの配置概略図である。本発明の実施形態に係るジャック１は、正面にプラグ１３が差込み接続されるプラグ挿入孔３を設けたジャックハウジング２と、このジャックハウジング内に組込んでプラグ１３のプラグ電極部１４、すなわち第１〜第４の電極１４ａ〜１４ｄにそれぞれ電気的に接続される第１〜第４のコンタクト５〜７、１１（図３、図４参照）と、第１、第２のスイッチコンタクト８、９（図３、図４参照）と、同様にこのジャックハウジング２に組み込んでプラグ１３の抜け止めをするロックピン１２（図４、図５参照）とで構成されている。このジャック１は、図示を省略したプリント配線基板に実装できる構造となっている。
【００３０】
プラグ１３は、図１に示すように、複数の電極１４ａ〜１４ｄを設けたプラグ電極部１４と、この電極部を支持固定する電気絶縁性材料からなるプラグハウジング１５と、このプラグハウジングの後方に固定して複数の電極１４ａ〜１４ｄに接続したリード線１６とを有している。電極部１４は、第１〜第４の電極１４ａ〜１４ｄからなり、プラグハウジング１５から、先方へ向かって順にグランド接続用、イヤホン右側信号接続用、マイクロホン信号接続用、及びマイクロホン左側信号接続用の各電極となっている。これらの電極は、ジャック内のコンタクトＧＮＤ、Ｒ、ＭＩＣ及びＬに接続される。なお、これらの電極は、この順序に限定されるものでなく、後述するが任意に変更できるものとなっている。これらの電極のうち、第１〜第３の電極１４ａ〜１４ｃは、所定の直径および長さ方向に所定の長さを有し内部に貫通孔を設けた筒状電極体からなり、これらの筒状電極体は良導電体の金属材料で形成されている。また、先端の第４の電極１４ｄは、砲弾型の先端電極部と、この電極部から後方へ延びた細棒の棒状導体とを有し、良導電体の金属材料で形成されている。なお、このプラグの直径は、例えば３．５ｍｍ又は２．５ｍｍとなっている。
【００３１】
図２〜図５を参照して、図１のジャックの構成を詳述する。なお、図２は図１のジャックを所定の各方向からみたもので、図２Ａは底面図、図２Ｂは前面図、図２Ｃは背面図、図２Ｄは一側面図、図２Ｅは他の側面図、図３は図２のジャックを示し、図３Ａは特に上方及びその周辺が見えるように図示した斜視図、図３Ｂは特に底面がよく見えるように図示した斜視図、図４は図３Ａを分解したもので、図４Ａはジャックハウジングの斜視図、図４Ｂはコンタクトの斜視図、図５は図３Ｂを分解したもので、図５Ａはジャックハウジングの斜視図、図５Ｂはコンタクトの斜視図である。
【００３２】
ジャック１は、図２〜図５に示すように、正面にプラグ１３が挿入されるプラグ挿入孔（以下、挿入孔という）３を設けたジャックハウジング（以下、ハウジングという）２と、このハウジングに装着される複数本、例えば６本のコンタクト５〜１１およびロックピン１２とで構成されている。複数本のコンタクトは、第１〜第４のコンタクト５〜７、１１と、第１、第２のスイッチコンタクト８、９となっている。この実施形態では、第１〜第４のコンタクトのうち、第１のコンタクト５はグランド接続用（以下、ＧＮＤコンタクトという）、第２のコンタクト６はイヤホン右側信号接続用（以下、Ｒコンタクトという）、第３のコンタクト７はマイクロホン信号接続用（以下、ＭＩＣコンタクトという）、及び第４のコンタクト１１はイヤホン左側信号接続用（以下、Ｌコンタクトという）となっている。また、第１のスイッチコンタクト（以下、ＳＷ１コンタクトという）８及び第２のスイッチコンタクト（以下、ＳＷ２コンタクトという）９とで、プラグ１３の挿入を検出するスイッチ機構を構成している。
【００３３】
ハウジング２は、図２に示すように、所定の幅長および長さを有し長方形状の底壁面２ａと、この底壁面の周囲から所定高さ立設した側壁面２ｂ〜２ｅと、これらの側壁面の頂部を繋ぐ上壁面２ｆとを有する直方体形状のブロックからなり、電気絶縁性の合成樹脂成型体で形成されている。
【００３４】
これらの側壁面２ｂ〜２ｅのうち、側壁面２ｄは、ジャック１がポータブルオーディオプレーヤーなどの機器（以下、携帯機器ともいう）に取付けられるときに、この携帯機器の筐体の外壁面に設けた開口から露出する正面壁（前面壁）となっている。この側壁面、すなわち正面壁２ｄは、底壁面２ａから上壁面２ｆに向かって所定角度、例えば８０°前後の角度に傾斜した傾斜面で形成されている。この傾斜面の角度は、携帯機器の筐体形状に合わせて決められている。この正面壁２ｄには、プラグ１３のプラグ電極部１４が挿入される挿入孔３が形成されている。このハウジング２は、内部にこの挿入孔３に連通した所定大きさの空間部４が形成されている。この空間部４は、底壁面２ａから上壁面２ｆへ向かって所定深さ窪ませた凹み穴で形成されている。なお、挿入孔３は、直径３．５ｍｍ又は２．５ｍｍのプラグを差込むことができる大きさになっている。
【００３５】
ハウジング２の空間部４、すなわち凹み穴の内壁面には、図５Ａに示すように、正面壁２ｄ側から背面壁２ｅ側に向かって順に、ＧＮＤコンタクト５が装着される装着溝４１、Ｒコンタクト６が装着される装着溝４２、ＭＩＣコンタクト７が装着される装着溝４３、Ｌコンタクト１１が装着される装着溝４４、ＳＷ１コンタクト８が装着される装着溝４５及びＳＷ２コンタクト９が装着される装着溝４６がそれぞれ形成されている。これらの装着溝４１〜４６のうち、幾つかの装着溝４１〜４４は側壁２ｃ側に、他の装着溝４５、４６は他の側壁２ｂ側に分けて形成されている。各装着溝を両側壁側に分けることによって、複数本のコンタクトを分けてハウジング内にコンパクトに効率よく配設できる。また、上壁面２ｆには、ロックピン１２が装着される装着溝４７（図４参照）が形成されている。それぞれの装着溝４１〜４６は、後述するコンタクトのハウジング固定部が圧入される大きさの嵌入溝となっている。
【００３６】
図６〜図１０を参照して、これらのコンタクトを説明する。なお、図６ＡはＧＮＤコンタクトの斜視図、図６ＢはＲコンタクトの斜視図、図７ＡはＭＩＣコンタクトの斜視図、図７ＢはＳＷ１コンタクトの斜視図、図８はＳＷ２コンタクトを示し、図８Ａは一方からみた斜視図、図８Ｂは他方からみた斜視図、図９は図８のＳＷ２コンタクトを示し、図９Ａは図８のＳＷ２コンタクトを別の角度からみた斜視図、図９Ｂはプッシャーを分離した状態の斜視図、図１０ＡはＬコンタクトの斜視図、図１０Ｂはロックピンの斜視図である。
【００３７】
複数本（６本）のコンタクト５〜７、１１、すなわちＧＮＤコンタクト５、Ｒコンタクト６、ＭＩＣコンタクト７およびＬコンタクト１１は、プラグ１３の第１〜第４の電極１４ａ〜１４ｄと接続されるプラグ接触部を有するプラグ接続腕部およびプリント配線基板上の配線と接続される基板接触部を有する基板接続脚部と、ハウジング２へ固定されるハウジング固定部とをそれぞれ有し、各コンタクトの基板接続部はハウジング２の底壁面２ａ側に、また、プラグ接触部はハウジング２の空間部４内の内壁面側に整列させて配置されるようにしてハウジング２内に装着・固定される構成となっている。また、ＳＷ１コンタクト８及びＳＷ２コンタクト９も基板接触部およびハウジング固定部を有しており、その基板接触部がハウジング２の底壁面２ａ側に配設されるようにして、ハウジング２内に装着・固定される構成となっている。
【００３８】
これら複数本のコンタクト５〜１１は、ハウジング２に装着されると、各コンタクトの基板接続脚部が底壁面２ａ側に配設されるのでジャックの小型化、特に、低背および薄型化が可能になる。すなわち、基板接続脚部は、略同一面上に位置するので、ハウジングに組込んだときに、該ハウジングを小型化でき、結果としてジャックを背低化および薄型化できる。また、これらのコンタクトは、同一底面側からの差込み嵌入でできるので、ハウジング内への組込み固定が簡単になる。以下、これらのコンタクトの構成を詳述する。
【００３９】
ＧＮＤコンタクト５は、図６Ａに示すように、ハウジング２の装着溝４１に嵌入固定するハウジング固定部５ａと、このハウジング固定部の一辺から延設した弾性を有する基板接続脚部５ｂと、同じ辺から折曲して同じ方向へ延設した弾性を有するプラグ接続腕部５ｃとを有し、これらの基板接続脚部５ｂおよびプラグ接続腕部５ｃの各先端に基板接触部５ｂ１およびプラグ接触部５ｃ１を設けて、良導電性の板状体の打ち抜き折曲加工により形成されている。すなわち、ハウジング固定部５ａは、所定長さおよび幅長を有し所定面積の矩形状の板状片で形成されている。この板状片は、ハウジング２の装着溝４１の形状に合わせたものとなっている。このハウジング固定部５ａは、基板接続脚部５ｂ、プラグ接続腕部５ｃより幅広に形成されている。この幅広によりハウジング２への固定が安定になる。基板接続脚部５ｂは、ハウジング固定部５ａの一辺から一方向へ略鈍角に折曲し所定幅長で且つ直線状に比較的長く延設した弾性を有する板状片で形成されている。この板状片は、ハウジング固定部５ａから先端部に向かって下方に緩やかに屈曲し、先端が上方へ跳ね上がった形状にして、端部に基板接触部５ｂ１が設けてある。この基板接続脚部５ｂは、コンタクト５を装着したジャック１がプリント配線基板に固定されると、基板接触部５ｂ１がプリント配線基板上の配線にスライド接触される。また、プラグ接続腕部５ｃは、ハウジング固定部５ａの一辺から該ハウジング固定部に接近するように折曲させ、その先端にプラグ接触部５ｂ１が設けてある。
【００４０】
Ｒコンタクト６は、図６Ｂに示すように、ＧＮＤコンタクト５と同様に、ハウジング２の装着溝４２に嵌入固定するハウジング固定部６ａと、このハウジング固定部の一辺から略鈍角に折曲して一方向へ所定幅長で且つ直線状に比較的長く延設した弾性を有する基板接続脚部６ｂと、他の対向する辺から略Ｕ字型に折曲させた弾性を有するＵ字型のプラグ接続腕部６ｃとを有し、基板接続脚部６ｂおよびプラグ接続腕部６ｃの各先端に基板接触部６ｂ１およびプラグ接触部６ｃ１を設け、良導電性の板状体の打ち抜き折曲加工により形成されている。
【００４１】
ＭＩＣコンタクト７は、図７Ａに示すように、ＧＮＤコンタクト５と同様に、ハウジング２の装着溝４３に嵌入固定するハウジング固定部７ａと、このハウジング固定部の一辺から略鈍角に折曲して一方向へ所定幅長で且つ直線状に比較的長く延設した弾性を有する基板接続脚部７ｂと、他の対向する辺から略Ｕ字型に折曲した弾性を有するＵ字型のプラグ接続腕部７ｃとを有し、基板接続脚部７ｂおよびプラグ接続腕部７ｃの各先端に基板接触部７ｂ１およびプラグ接触部７ｃ１を設け、良導電性の板状体の打ち抜き折曲加工により形成されている。
【００４２】
ＳＷ１コンタクト８は、図７Ｂに示すように、ハウジング２の装着溝４５に固定する一対のハウジング固定部８ａと、このハウジング固定部の一辺から略鈍角に所定長さ直線状に延設した弾性を有する基板接続脚部８ｂと、同じハウジング固定部の長手方向から所定長さ延設したスイッチ腕部８ｃとを有し、基板接続脚部８ｂの先端に基板接触部８ｂ１、スイッチ腕部８ｃの先端に接点部８ｃ１をそれぞれ設け、良導電性の板状体の打ち抜き折曲加工により形成されている。さらに詳述すると、一対のハウジング固定部８ａは、所定の幅長および長さで比較的大面積の略矩形状の板状片からなり、ハウジング２の装着溝４５に差込み固定する大きさになっている。この板状片は、面積を比較的大きくしてあるので、ハウジングの装着溝４５への固定が安定になる。基板接続脚部８ｂは、ハウジング固定部８ａの一辺から一方向へ略鈍角に折曲し所定幅長で且つ直線状に長く延設した弾性を有する板状片からなり、先端に基板接触部８ｂ１が設けてある。スイッチ腕部８ｃは、ハウジング固定部８ａの一端（図の長手方向）から所定の幅長および長さで延設した腕片からなり、この腕片の先端に接点部８ｃ１が設けてある。
【００４３】
ＳＷ２コンタクト９は、図８及び図９に示すように、ＳＷ１コンタクト８と同様に、ハウジング２の装着溝４６に固定するハウジング固定部９ａと、このハウジング固定部の一辺から鈍角に所定長さ直線状に延設した弾性を有する基板接続脚部９ｂと、同じハウジング固定部の他の辺から所定長さ延設した弾性を有するスイッチ腕片部９ｃとを有し、基板接続脚部９ｂの先端に基板接触部９ｂ１、スイッチ腕片部９ｃの先端に接点部９ｃ１をそれぞれ設け、良導電性の板状体の打ち抜き折曲加工により形成されている。スイッチ腕片部９ｃは、その途中に電気絶縁性のプッシャー１０が装着されている。
【００４４】
さらに詳述すると、ハウジング固定部９ａは、所定の幅長および長さで比較的大面積の略矩形状の板状片からなり、ハウジング２の装着溝４６に差込固定する大きさになっている。基板接続脚部９ｂは、ハウジング固定部９ａの一辺から一方向へ略鈍角に折曲し所定幅長で且つ直線状に長く延設した弾性を有する板状片からなり、先端に基板接触部９ｂ１が設けてある。スイッチ腕片部９ｃは、ハウジング固定部９ａの一端から所定幅長で且つ直線状に長く延設した弾性を有し長手方向の中間部がハウジング２内へ取付けたときにプラグ挿通路の方向へ膨らませた「略弓型」乃至「く字型」の板状片からなり、先端に接点部９ｃ１およびその中間部に電気絶縁性のプッシャー１０がそれぞれ設けられている。すなわち、スイッチ腕片部９ｃは、ハウジング固定部９ａと接点部９ｃ１とを結ぶ線より離れる方向に膨らみ「略く字」状に折曲し長手方向の略中間部が山型突起９ｃ０となっている（図９Ｂ参照）。そして、この山型突起部９ｃ０に、電気絶縁性のプッシャー１０が装着されている。中間部にプッシャー１０を設けることによって、プラグ挿入時にスイッチの作動がスムーズになる。
【００４５】
プッシャー１０は、図８、９に示すように、一面にプラグ１３の電極部１４に当接して、該電極部が摺動する摺動面１０ａ及びその反対面に固定部１０ｂを有する絶縁ブロックで形成されている。絶縁ブロックからなるプッシャー１０は、スイッチ腕片部９ｃの山型突起部９ｃ０に樹脂モールド成型で一体固定或いは任意の固着手段を用いて固定されている。なお、プッシャー１０は、樹脂絶縁ブロックに限定されるものでなく、絶縁性塗料を用い、この塗布によって形成してもよい。ＳＷ２コンタクト９は、接点部９ｃ１がＳＷ１コンタクト８の接点部８ｃ１に常時接触する常閉接点となるようにハウジング２内に組込まれる。常閉接点にすることにより、ジャック内に水が入ったときに、常開接点にするよりも対応が良好になる。この常閉接点は、プラグの挿入により、プラグの電極部がプッシャー１０に当接・押動されて開成される。
【００４６】
Ｌコンタクト１１は、図１０Ａに示すように、ＭＩＣコンタクト７と同様に、ハウジング２の装着溝４４に嵌入固定するハウジング固定部１１ａと、このハウジング固定部の一辺から略鈍角に折曲して一方向へ所定幅長で且つ直線状に比較的長く延設した弾性を有する基板接続脚部１１ｂと、他の対向する辺から略Ｕ字型に折曲した弾性を有するＵ字型のプラグ接続腕部１１ｃとを有し、基板接続脚部１１ｂおよびプラグ接続腕部１１ｃの各先端に基板接触部１１ｂ１およびプラグ接触部１１ｃ１を設け、良導電性の板状体の打ち抜き折曲加工により形成されている。
【００４７】
ロックピン１２は、図１０Ａに示すように、対向する一対の弾性脚部１２ｂ、１２ｃと、これらの弾性脚部を結合する連結部１２ａとを有する略Ｕ字状をなし、弾性を有する細棒状体で形成されている。
【００４８】
これらのコンタクト５〜１１をハウジング２に組込んでジャック１を組立てる。この
ジャック１の組立ては、まず、ハウジング２のそれぞれの装着溝４１〜４６へそれぞれのコンタクト５〜１１を嵌入し固定する。また、ロックピン１２は、ハウジング２の装着溝４７に挿入固定して組立てを完了する。この組立てにより、それぞれのコンタクト５〜１１は、それらの基板接続脚部５ａ〜１１ａがハウジング２の底壁面２ａ側に配設されると共に、各基板接続脚部５ａ〜１１ａの各基板接触部５ａ１〜１１ａ１が底壁面２ａから突出した状態になり、また、各コンタクト５〜１１のそれぞれのプラグ接触部５ｃ１，６ｃ１，７ｃ１及び１１ｃ１が同じ方向、すなわち側壁２ｃ側へ整列した状態となる。さらに、ＳＷ１およびＳＷ２コンタクト８、９は、第１、第２の接点部８ｃ１、９ｃ１が側壁２ｂ側へ整列し接触した状態になる。ロックピン１２は、このロックピンとＬコンタクト１１との間に所定の隙間ができ、この隙間でプラグ１３の先端部が所定の力で挟持される。この組立てにより、ジャックは、各コンタクトの基板接続脚部が底壁面２ａ側に配設されるので小型化、特に、低背および薄型化が可能になる。すなわち、基板接続脚部は、略同一面上に位置するので、ハウジングに組込んだときに、該ハウジングを小型化でき、結果としてジャックを背低化および薄型化できる。また、これらのコンタクトは、同一底面側からの差込み嵌入でできるので、ハウジング内への組込み固定が簡単になる。
【００４９】
この組立てたジャック１は、プリント配線基板（図示省略）に載置して、このジャック１を機器筐体でプリント配線基板に押し付けることにより固定される。プリント配線基板は、所定の大きさを有し、その表面に各コンタクト５〜１１の各基板接触部５ａ１〜１１ａ１に対応する箇所に配線パターンが形成されている。なお、機器筐体は、略箱型形状をなし、一側壁面にジャック１の正面壁２ｄ部分が入り込む大きさのコ字型の開口が形成されている。したがって、機器筐体とプリント配線基板とは、間にジャック１を挟んだ状態で固定して、ジャックの実装が完了する。この実装により、基板接触部が配線パターン上をスライド移動し、プラグ１３の電極と配線パターンとが確実に電気接続される。
【００５０】
この組立てたジャック１の挿入孔３にプラグ１３を差込むと、プラグの電極１４ａ〜１４ｄがハウジング２内の各コンタクト５〜１１のそれぞれのプラグ接触部５ａ１〜１１ａ１に接触する。同時に、プラグ１３の電極部１４はＳＷ２コンタクト９のプッシャー１０の固定部１０ｂに当接・摺動して、プッシャー１０の摺動面１０ａがこのＳＷ２コンタクト９を変位させて、ＳＷ２コンタクト９の接点部９ｃ１をＳＷ１コンタクト８の接点部８ｃ１から切離して、これまで接触・導通していた電気回路がＯＦＦされる。すなわち、プラグ１３の挿入前は、接点部９ｃ１と接点部８ｃ１とが図１１Ａに示すように接触しており、プラグ１３が挿入されると、図１１Ｂに示すように、接点部９ｃ１が接点部８ｃ１から切離されて電気回路がＯＦＦされる。このＯＦＦにより、プラグ挿入孔３にプラグ１３が挿入されたことが検出される。
【００５１】
このジャック１によれば、ＳＷ２コンタクト９がプラグ１３の電極部１４と電気的に接続されずにプラグ挿入検出ができる。その結果、プラグ１３のグランド電極がいずれの位置に配設されても、プラグの挿入を確実に検出できる。また、プラグを挿入検出するスイッチ機構をハウジング２内で任意の位置に設けることができると共に、所定の位置、例えばプラグ挿入孔の近くに、このスイッチ機構を設けることによってプラグ挿入時のノイズの低減ができる。さらに、プラグ電極の位置が変更されても、スイッチ機構（コンタクト）と他のコンタクトとが分離されているので、この変更に伴うプラグ電極に対応できるジャック内の信号コンタクト５〜７、１１をハウジング２内に配設できる。すなわち、図１２に示すように、ハウジング２内において、スイッチコンタクトＳＷ１、ＳＷ２の配設位置に関係なく、他のコンタクトＧＮＤ、ＭＩＣ、Ｒ、Ｌを変更できる。なお、この実施形態では、スッチ機構を常閉接点で構成したが、常開接点にしてもよい。
【符号の説明】
【００５２】
１                    ジャック
２                    ジャックハウジング
３                    プラグ挿入孔
４                    空間
４１〜４７              装着溝
５                    グランド接続用コンタクト
５ａ                  ハウジング固定部
５ｂ                  基板接続脚部
５ｂ１                 基板接触部
５ｃ                  プラグ接続腕部
５ｃ１                 プラグ接触部
６                    イヤホン右側信号用コンタクト
６ｂ                  基板接続脚部
６ｂ１                 基板接触部
６ｃ                  プラグ接続腕部
６ｃ１                 プラグ接触部
６                    マイクロホン信号接続用コンタクト
６ｂ                  基板接続脚部
６ｂ１                 基板接触部
６ｃ                  プラグ接続腕部
６ｃ１                 プラグ接触部
８                    第１のスイッチコンタクト
８ａ                  ハウジング固定部
８ｂ                  基板接続脚部
８ｂ１                 基板接触部
８ｃ                  スイッチ腕部
８ｃ１                 接点部
９                    第２のスイッチコンタクト
９ａ                  ハウジング固定部
９ｂ                  基板接続脚部
９ｂ１                 基板接触部
９ｃ１                 接点部
１０                  プッシャー
１０ａ                摺動面
１１                  イヤホン左側信号用コンタクト
１２                  ロックピン
１１ｂ                基板接続脚部
１１ｂ１               基板接触部
１１ｃ                プラグ接続腕部
１１ｃ１               プラグ接触部
１３                  プラグ
１４                  電極部
１４ａ〜１４ｄ        電極
【図１】
2012230877.tif 000003
【図２】
2012230877.tif 000004
【図３】
2012230877.tif 000005
【図４】
2012230877.tif 000006
【図５】
2012230877.tif 000007
【図６】
2012230877.tif 000008
【図７】
2012230877.tif 000009
【図８】
2012230877.tif 000010
【図９】
2012230877.tif 000011
【図１０】
2012230877.tif 000012
【図１１】
2012230877.tif 000013
【図１２】
2012230877.tif 000014
【図１３】
2012230877.tif 000015
【図１４】
2012230877.tif 000016
【図１５】
2012230877.tif 000017